【手続補正書】
【提出日】平成26年11月20日(2014.11.20)
【手続補正１】
【補正対象書類名】特許請求の範囲
【補正対象項目名】全文
【補正方法】変更
【補正の内容】
【特許請求の範囲】
【請求項１】
蒸気タービン用のノズル組立体であって、
一体式外側側壁を含む少なくとも１つのノズル翼形部と、
前記少なくとも１つのノズル翼形部が本質的に半径方向で間に延びた内側リング及び外側リングと
を備え、
前記外側リングの内面が、前記外側側壁の外面と機械嵌め接続を有して、前記少なくとも１つのノズル翼形部の軸方向移動を抑制し、前記外側リングが、前記外側側壁の上流面と機械嵌め接続を有して、前記少なくとも１つのノズル翼形部の半径方向移動を抑制し、前記少なくとも１つのノズル翼形部が複数の固定具により前記内側リングにピン留めされ、
前記外側リングと前記外側側壁との間の機械嵌め接続が、
前記外側側壁の外側半径方向外面上に配置された半径方向内向きに延びる雌型凹部に相補的な、前記外側リングの半径方向内面に沿って配置された半径方向内向きの雄型突起部と、
前記外側側壁の外面に沿って配置された半径方向外向きの雄型突起部に相補的な、前記外側リングの半径方向内面に沿って配置された半径方向外向きに延びる雄型突起部と
のうちの１つを含み、
前記外側リングと前記外側側壁との間の機械嵌め接続が更に、
前記外側リングの軸方向下流面上に配置された軸方向下流側に延びる雄型突起部、及び前記外側側壁の上流面上に配置された軸方向に延びる相補的な雌型凹部と、
前記外側リングの軸方向下流面上に配置された軸方向上流側に延びる雌型凹部、及び前記外側側壁の上流面上に配置された相補的な軸方向雄型突起部と
のうちの１つを含む、
ノズル組立体。
【請求項２】
前記内側リングへの前記少なくとも１つのノズル翼形部のピン留めは、第１の複数の固定具を用いて前記翼形部が前記内側リングに回転可能に結合され、前記第１の複数の固定具が前記少なくとも１つのノズル翼形部を前記内側リングに対して配列するようにし、第２の複数の固定具を用いて前記少なくとも１つのノズル翼形部が前記内側リングに半径方向で結合されることを含む、請求項１記載のノズル組立体。
【請求項３】
前記内側リングが前記内側リングの周りに円周方向に配置された複数の半径方向外向きに向けられたボアを含み、前記複数のボアが皿穴構成を含む、請求項２記載のノズル組立体。
【請求項４】
前記第１の複数の固定具が少なくとも１つの整列ピンを含み、前記第２の複数の固定具が少なくとも１つのボルトを含む、請求項３記載のノズル組立体。
【請求項５】
前記内側リングが貫通する複数の開口を含み、該複数の開口により前記ノズル翼形部を前記内側リング上で整列できるようになる、請求項４記載のノズル組立体。
【請求項６】
前記少なくとも１つのノズル翼形部が、前記外側リングと前記内側リングとの間で接線方向に挿入される、請求項１乃至５のいずれかに記載のノズル組立体。
【請求項７】
前記少なくとも１つのノズル翼形部が、前記外側リングと前記内側リングとの間の所定位置に軸方向にスイングされる、請求項１乃至５のいずれかに記載のノズル組立体。
【請求項８】
前記外側側壁が、前記外側リングの半径方向内面と前記外側側壁の外側半径方向外面との間の下流側スペースにおいて溶接フィラー材料を加えることなく前記外側リングに溶接される、請求項１乃至７のいずれかに記載のノズル組立体。
【請求項９】
前記外側側壁が、
前記外側リングの半径方向内面と前記外側側壁の外側半径方向外面との間の下流側スペースと、
前記外側リングの半径方向内面と前記外側側壁の外側半径方向外面との間の上流側スペースと
のうちの少なくとも一方において溶接フィラー材料を加えることなく前記外側リングに溶接される、請求項１乃至７のいずれかに記載のノズル組立体。
【請求項１０】
蒸気タービンの組立方法であって、
半径方向内面及び接線方向下流面の各々上に雄型突起部及び雌型凹部の一方を含む環状外側リングと、環状内側リングとを提供する段階と、
半径方向外面及び接線方向上流面の各々上に雌型凹部及び雄型突起部の一方を含み、前記雌型凹部又は雄型突起部が前記外側リングの雄型突起部又は雌型凹部に相補的である一体式外側側壁を備えた少なくとも１つのノズル翼形部を提供する段階であって、
前記外側リングと前記外側側壁との間の機械嵌め接続が、
前記外側側壁の外側半径方向外面上に配置された半径方向内向きに延びる雌型凹部に相補的な、前記外側リングの半径方向内面に沿って配置された半径方向内向きの雄型突起部と、
前記外側側壁の外面に沿って配置された半径方向外向きの雄型突起部に相補的な、前記外側リングの半径方向内面に沿って配置された半径方向外向きに延びる雄型突起部と
のうちの１つを含み、
前記外側リングと前記外側側壁との間の機械嵌め接続が更に、
前記外側リングの軸方向下流面上に配置された軸方向下流側に延びる雄型突起部、及び前記外側側壁の上流面上に配置された軸方向に延びる相補的な雌型凹部と、
前記外側リングの軸方向下流面上に配置された軸方向上流側に延びる雌型凹部、及び前記外側側壁の上流面上に配置された相補的な軸方向雄型突起部と
のうちの１つを含む、前記段階と、
前記外側側壁の少なくとも１つの相補的な雌型凹部及び雄型突起部を前記外側リングの少なくとも１つの雄型突起部及び雌型凹部と係合することによって、接線方向挿入及び軸方向スイング挿入の一方で前記外側リングと前記内側リングとの間に一体式外側側壁を備えた前記少なくとも１つのノズル翼形部を設置する段階と、
前記少なくとも１つのノズル翼形部が前記内側リングから実質的に半径方向外向きに延びるように、前記内側リングを通って実質的に半径方向に延び且つ前記外側リングに向けられた複数の円周方向に間隔を置いて配置されるボアのうちの１つに各々が挿入される第１の複数の固定具を用いて前記内側リングに前記少なくとも１つのノズル翼形部を回転可能に結合する段階と、
前記少なくとも１つのノズル翼形部を最終ノズル翼形部位置に調整する段階と、
第２の複数の固定具を用いて、前記少なくとも１つのノズル翼形部の回転移動を制限し、前記複数の翼形部の各々を前記内側リングに結合する段階と
を含む、方法。
【請求項１１】
前記外側リングの半径方向内面と前記外側側壁の外側半径方向外面との間の接合部における下流面上で前記外側リングに前記外側側壁を溶接する段階と、
前記外側リングの接線方向下流面と前記外側側壁の接線方向上流面との間の接合部における上流面上で前記外側リングに前記外側側壁を溶接する段階と
のうちの少なくとも１つを更に含む、請求項１０記載の方法。
【請求項１２】
第１の複数の固定具を用いて前記内側リングに前記少なくとも１つのノズル翼形部を結合する段階が更に、少なくとも１つの整列ピンを前記少なくとも１つのノズル翼形部の各々にほぼ半径方向で挿入し、前記内側リングに対する前記少なくとも１つのノズル翼形部の整列を可能にする段階を含む、請求項１０または１１に記載の方法。
【請求項１３】
第２の複数の固定具を用いて前記少なくとも１つのノズル翼形部を前記内側リングに結合する段階が更に、少なくとも１つのボルトを用いて前記少なくとも１つのノズル翼形部の各々を前記内側リングに結合する段階を含む、請求項１０乃至１２のいずれかに記載の方法。
【請求項１４】
前記複数の円周方向に間隔を置いて配置されたボアの各々が、貫通する前記第１の複数の固定具の一部を受けて前記少なくとも１つのノズル翼形部を前記内側リングに固定できるようなサイズにされるように、前記ボアを前記内側リング内に形成する段階を更に含む、請求項１０乃至１３のいずれかに記載の方法。
【請求項１５】
ノズル組立体を備えた蒸気タービンであって、該ノズル組立体が、
前記蒸気タービン内で実質的に円周方向に延びるよう構成された半径方向外側リングと、
前記蒸気タービン内で実質的に円周方向に延びるよう構成された半径方向内側リングと、
前記内側リングと前記外側リングとの間で実質的に半径方向に延びる一体式外側側壁を備えた少なくとも１つのノズル翼形部と
を備え、
前記内側リングが、該内側リングを通って前記外側リングに向けて実質的に半径方向に延びる複数の円周方向に間隔を置いて配置されたボアを含み、該複数のボアの一部が皿穴を各々含み、前記少なくとも１つのノズル翼形部が複数の固定具を用いて前記半径方向内側リングに回転可能に結合され、該第１の複数の固定具により前記内側リングに対して前記少なくとも１つのノズル翼形部を向けることが可能になり、前記少なくとも１つのノズル翼形部が第２の複数の固定具を用いて前記半径方向内側リングに結合され、
前記ノズル組立体が更に、前記ノズル翼形部の外側側壁と前記外側リングとの間で機械的に拘束される接合部を備え、
前記少なくとも１つのノズル翼形部の外側側壁と前記外側リングとの間で機械的に拘束される接合部が、
前記外側側壁の外側半径方向外面上に配置された半径方向内向きに延びる雌型凹部に相補的な、前記外側リングの半径方向内面に沿って配置された半径方向内向きの雄型突起部と、前記外側側壁の外面に沿って配置された半径方向外向きの雄型突起部に相補的な、前記外側リングの半径方向内面に沿って配置された半径方向外向きに延びる雄型突起部とのうちの１つと、
前記外側リングの軸方向下流面上に配置された軸方向下流側に延びる雄型突起部、及び前記外側側壁の上流面上に配置された軸方向に延びる相補的な雌型凹部と、前記外側リングの軸方向下流面上に配置された軸方向上流側に延びる雌型凹部、及び前記外側側壁の上流面上に配置された相補的な軸方向雄型突起部とのうちの１つと
を含む、蒸気タービン。
【請求項１６】
前記外側側壁が、
前記外側リングの半径方向内面と前記外側側壁の外側半径方向外面との間の下流側スペースと、
前記外側リングの半径方向内面と前記外側側壁の外側半径方向外面との間の上流側スペースと
のうちの少なくとも一方において溶接フィラー材料を加えることなく前記外側リングに溶接される、請求項１５記載の蒸気タービン。
【請求項１７】
前記複数の円周方向に間隔を置いて配置されるボアが、貫通する前記第２の複数の固定具の少なくとも一部を受けて前記ノズル組立体内に前記少なくとも１つのノズル翼形部を固定するようなサイズにされ、前記第１の複数の固定具が整列ピンを含み、前記第２の複数の固定具が少なくとも１つのボルトを含み、前記整列ピンにより前記少なくとも１つのノズル翼形部の各々を前記ノズル組立体内で整列可能になり、前記ボルトにより前記少なくとも１つのノズル翼形部の各々を前記ノズル組立体内に固定可能になる、請求項１５または１６に記載の蒸気タービン。